(57)【要約】【課題】注視性を高める表示機能を備えたラップラウンド箱を提供する。【解決手段】天面板３から延びる外フラップ６の一端部に側縁から先端縁へ向かう斜折線９を入れると共に、天面板３に両側縁間に亘る幅折線１０を入れ、また、両側面板２と天面板３の稜部に全長に亘る天切線を入れ、斜折線９を有する外フラップ６とこれに重なる内フラップ５とを斜折線９の外側で貼り合わせ、陳列に際しては、斜折線９の外側で外フラップ６が貼着された内フラップ５を切断しないように切裂帯を引き裂き、天切線を切断して両側面板２の上部を除去し、斜折線９を軸に外フラップ６を折り返し、幅折線１０に沿って天面板３を正面側へ折り曲げ、その折曲状態をロック片１２，１３で保持する。【選択図】図６
2005138877.tif 000002
【特許請求の範囲】
【請求項１】
底面板１、一対の側面板２及び天面板３を連設して商品を包み込み、側面板２の端縁から延びる内フラップ５に、底面板１及び天面板３の端縁から延びる外フラップ６を重ねて封緘し、一対の側面板２及び内フラップ５に横断方向の切裂帯７を設けたラップラウンド箱において、天面板３から延びる外フラップ６の一端部に側縁から先端縁へ向かう斜折線９を入れると共に、天面板３に両側縁間に亘る幅折線１０を入れ、また、両側面板２と天面板３の稜部に全長に亘る天切線１１を入れ、斜折線９を有する外フラップ６とこれに重なる内フラップ５とを斜折線９の外側で貼り合わせ、陳列に際しては、斜折線９の外側で外フラップ６が貼着された内フラップ５を切断しないように切裂帯７を引き裂き、天切線１１を切断して両側面板２の上部を除去し、斜折線９を軸に外フラップ６を折り返し、幅折線１０に沿って天面板３を正面側へ折り曲げ、その折曲状態を保持するようにしたことを特徴とする表示機能付きラップラウンド箱。
【発明の詳細な説明】
【技術分野】
【０００１】
この発明は、輸送用に商品を梱包すると共に、店頭での商品陳列にも使用され、陳列時における商品広告用の表示機能を備えたラップラウンド箱に関するものである。
【背景技術】
【０００２】
一般に、カップ入り食品や缶入り飲料等の商品は、ラップラウンド式の段ボール箱で梱包されてスーパー等の量販店へ配送される。
【０００３】
この種のラップラウンド箱として、従来より、図１０に示すように、底面板５１、一対の側面板５２及び天面板５３を連設して商品を包み込み、側面板５２の端縁から延びる内フラップ５４に、底面板５１及び天面板５３の端縁から延びる外フラップ５５を重ねて封緘し、一対の側面板５２及び内フラップ５４の裏面にカットテープを貼り付けて横断方向の切裂帯５６を設けたものが使用されている。
【０００４】
このようなラップラウンド箱で梱包された商品を量販店の店頭で陳列する際には、切裂帯５６を全周に亘って引き裂き、その上方部分を除去して、トレー状となった下方部分から商品を露出させる。そして、このように上部を開口させたラップラウンド箱を店内の置き位置に多数積み上げて、陳列するようにしている。
【発明の開示】
【発明が解決しようとする課題】
【０００５】
しかしながら、上記のように、ラップラウンド箱の上部を単に除去して商品を露出させるだけでは、付近に並べられた他の商品との差別化を図ることができず、十分な陳列効果を得ることができないという問題があった。
【０００６】
そこで、この発明は、注視性を高める表示機能を備えたラップラウンド箱を提供しようとするものである。
【課題を解決するための手段】
【０００７】
上記課題を解決するため、この発明は、底面板、一対の側面板及び天面板を連設して商品を包み込み、側面板の端縁から延びる内フラップに、底面板及び天面板の端縁から延びる外フラップを重ねて封緘し、一対の側面板及び内フラップに横断方向の切裂帯を設けたラップラウンド箱において、天面板から延びる外フラップの一端部に側縁から先端縁へ向かう斜折線を入れると共に、天面板に両側縁間に亘る幅折線を入れ、また、両側面板と天面板の稜部に全長に亘る天切線を入れ、斜折線を有する外フラップとこれに重なる内フラップとを斜折線の外側で貼り合わせたのである。
【０００８】
そして、陳列に際しては、斜折線の外側で外フラップが貼着された内フラップを切断しないように切裂帯を引き裂き、天切線を切断して両側面板の上部を除去し、斜折線を軸に外フラップを折り返し、幅折線に沿って天面板を正面側へ折り曲げ、その折曲状態を保持するようにしたのである。
【発明の効果】
【０００９】
このようなラップラウンド箱では、陳列状態に変形すると、天面板が外フラップの斜折線を基軸として直立し、この外フラップに繋がった天面板の基端から幅折線までの間の部分が側方へ突出して、それより先端側部分の表面が正面に向くので、天面板の表面に施した印刷により、消費者の注意を惹くことができ、優れた陳列効果を得ることができる。
【発明を実施するための最良の形態】
【００１０】
以下、この発明の実施形態を添付図面に基づいて説明する。
【００１１】
図１に示すように、このラップラウンド箱のブランクでは、底面板１の一側縁に側面板２及び天面板３が順次連設され、底面板１の他側縁に側面板２及び継代片４が順次連設されている。側面板２の両端縁には内フラップ５が、底面板１及び天面板３の両端縁には外フラップ６がそれぞれ連設されている。
【００１２】
側面板２及び内フラップ５には、裏面にカットテープを連続的に貼り付けて切裂帯７が設けられ、その切始部が側面板２と内フラップ５の稜部に形成されている。内フラップ５には、切裂帯７に沿ってジッパ形の切目８が入れられている。
【００１３】
天面板３から延びる一方の外フラップ６の内端部には、基端角から罫線に対して４５°傾斜した斜折線９が入れられ、天面板３の中間部には、斜折線９を入れた外フラップ６寄りに、両側縁間に亘って幅折線１０が入れられている。また、側面板２と天面板３及び継代片４の稜部には、全長に亘ってジッパ形の天切線１１が入れられている。
【００１４】
また、天面板３の側縁には天切線１１からテーパ状の切込によるロック片１２が、斜折線９を入れた外フラップ６に向かう内フラップ５の端縁には平行な切込によるロック片１３がそれぞれ形成され、天面板３から延びる他方の外フラップ６の端縁には、弧状の切込を入れて引掛片１４が形成されている。
【００１５】
このようなブランクを組み立てて、商品である即席めんのカップを包装するには、図２に示すように、底面板１、一対の側面板２及び天面板３を商品を包み込むように折り曲げて、継代片４を天面板３に貼り付け、内フラップ５及び外フラップ６を順次内側へ折り曲げ、内フラップ５と外フラップ６とを貼り合わせて封緘する。このとき、斜折線９を有する外フラップ６とこれに重なる内フラップ５とは、斜折線９の外側で貼り合わせる。
【００１６】
なお、この包装状態では、天面板３の表面に施された商品の特徴等を宣伝する広告の印刷が見えるようになっている。
【００１７】
一方、このように梱包した商品を店頭で陳列する際には、側面板２の切裂帯７を一端の切始部から引き裂き、斜折線９が重なる内フラップ５を除いた３枚の内フラップ５の切裂帯７を、切目８の誘導により側面板２との稜部側から引き裂き、側面板２を両側縁に沿って切裂帯７から上方へ破り、図３に示すように、天切線１１を切断して両側面板２の上部を除去する。
【００１８】
そして、斜折線９を有する外フラップ６の反対側の外フラップ６を引き起こし、図４に示すように、この外フラップ６を持ち上げて天面板３を開くと、ラップラウンド箱の下部がトレー状となって、従来のラップラウンド箱と同様に、収納された商品のカップＣが上方から見えるように露出する。
【００１９】
次いで、図５に示すように、この外フラップ６を斜折線９を軸に折り返し、天面板３を幅折線１０に沿って屈曲させ、図６及び図７に示すように、天面板３を重ね合わせて、ロック片１２，１３を同一方向へ折り曲げ、天面板３の折曲状態を保持すると共に、引掛片１４を下方の外フラップ６に引っ掛けて、天面板３の先端側を安定させる。
【００２０】
このように陳列状態に変形すると、天面板３が斜折線９を基軸として直立し、天面板３の基端から幅折線１０の間の部分が側方へ突出して折り返され、それより先端側部分の表面が正面に向くので、図８及び図９に示すように、店頭で多数積み上げた陳列状態において、天面板３に施した印刷が正面側及び後面側から視認可能となり、店内の通路を歩く消費者の注意を惹きつけて、優れた陳列効果を得ることができる。
【００２１】
なお、天面板３は、この実施形態のように二つ折りにするだけでなく、筒状に折り曲げたり、三角状に折り曲げて前方へ突き出させたりしてもよい。
【００２２】
また、天面板３による広告が不要になった場合には、天面板３が繋がった内フラップ５を切裂帯７及び切目８により切断して、天面板３を除去すればよい。
【図面の簡単な説明】
【００２３】
【図１】この発明に係るラップラウンド箱のブランクを示す図
【図２】同上の包装状態を示す斜視図
【図３】同上の陳列用の変形過程を示す斜視図
【図４】同上の変形過程を示す斜視図
【図５】同上の変形過程を示す一部拡大斜視図
【図６】同上の変形状態を正面側から示す斜視図
【図７】同上の変形状態を後面側から示す斜視図
【図８】同上の積上陳列状態を正面側から示す斜視図
【図９】同上の積上陳列状態を後面側から示す斜視図
【図１０】従来のラップラウンド箱の包装状態を示す斜視図
【符号の説明】
【００２４】
１  底面板
２  側面板
３  天面板
５  内フラップ
６  外フラップ
７  切裂帯
９  斜折線
１０  幅折線
１１  天切線
１２，１３  ロック片
【図１】
2005138877.tif 000003
【図２】
2005138877.tif 000004
【図３】
2005138877.tif 000005
【図４】
2005138877.tif 000006
【図５】
2005138877.tif 000007
【図６】
2005138877.tif 000008
【図７】
2005138877.tif 000009
【図８】
2005138877.tif 000010
【図９】
2005138877.tif 000011
【図１０】
2005138877.tif 000012